(57)【要約】【課題】  コーナー前期域での車両挙動の安定性を確保しながら、コーナー中期域にてドライバの加速要求に対し応答良く駆動力を確保することができる自動変速機の変速制御装置を提供すること。【解決手段】  旋回時やレーンチェンジ時に通常の変速制御に代えてコーナー変速制御を実行するコーナー変速制御手段を備えた自動変速機の変速制御装置において、前記コーナー変速制御手段は、旋回やレーンチェンジの開始を判断したら変速比固定制御を開始するコーナー前期制御部と、変速比固定制御の実行中、ドライバの加速意図を判断したら変速比固定制御に代え変速比をダウンシフト側に移行させる制御を実行するコーナー中期制御部と、を有する。【選択図】        図１１
2005069294.tif 000002
【特許請求の範囲】
【請求項１】
旋回時やレーンチェンジ時に通常の変速制御に代えてコーナー変速制御を実行するコーナー変速制御手段を備えた自動変速機の変速制御装置において、
前記コーナー変速制御手段は、旋回やレーンチェンジの開始を判断したら変速比固定制御を開始するコーナー前期制御部と、変速比固定制御の実行中、ドライバの加速意図を判断したら変速比固定制御に代え変速比をダウンシフト側に移行させる制御を実行するコーナー中期制御部と、を有することを特徴とする自動変速機の変速制御装置。
【請求項２】
請求項１に記載された自動変速機の変速制御装置において、
車両の横加速度を検出する横加速度検出手段と、
スロットル開度を検出するスロットル開度検出手段と、を設け、
前記コーナー前期制御部は、少なくとも横加速度検出値が第１設定閾値を超えたら第１変速比固定制御を開始し、
前記コーナー中期制御部は、変速比固定制御の実行中、実横加速度絶対値が第２設定閾値よりも小さく、かつ、スロットル開度検出値が設定開度よりも大きくなったら、第１変速比固定制御に代え変速比をダウンシフト側に移行させる制御を実行することを特徴とする自動変速機の変速制御装置。
【請求項３】
請求項２に記載された自動変速機の変速制御装置において、
前記自動変速機は、変速比を無段階に変更できる無段変速機であり、
前記コーナー中期制御部は、第１変速比固定制御に代えて実行される制御を、単位時間当たりの変速比加算により変速比をダウンシフト側に徐々に移行させる変速比可変制御としたことを特徴とする自動変速機の変速制御装置。
【請求項４】
請求項３に記載された自動変速機の変速制御装置において、
スロットル開度速度を検出するスロットル開度速度検出手段を設け、
前記コーナー中期制御部は、変速比をダウンシフト側に徐々に移行させる変速比可変制御を実行するとき、スロットル開度速度が大きいほど変速比加算分を大きくすることを特徴とする自動変速機の変速制御装置。
【請求項５】
請求項４に記載された自動変速機の変速制御装置において、
通常走行時のスロットル開度変速線を持つノーマル変速マップよりもエンジン回転数を高める側のスロットル開度変速線を持つコーナー制御用変速マップを設定するコーナー制御用変速マップ設定手段を設け、
前記コーナー変速制御手段のコーナー中期制御部は、変速比可変制御を開始した時点から、ノーマル変速マップに代えコーナー制御用変速マップを用いたことを特徴とする自動変速機の変速制御装置。
【請求項６】
請求項５に記載された自動変速機の変速制御装置において、
前記コーナー中期制御部は、変速比をダウンシフト側へ移行させる変速比可変制御中に運転点が踏み込みスロットル開度に対応するスロットル開度変速線に達したら、達した時点の変速比に固定する第２変速比固定制御を開始することを特徴とする自動変速機の変速制御装置。
【請求項７】
請求項６に記載された自動変速機の変速制御装置において、
前記コーナー中期制御部は、第２変速比固定制御中に運転点が踏み込みスロットル開度に対応するリミット線に達したら、それ以降、リミット線に沿って変速比をアップシフト側に変更するリミット線追随制御を実行することを特徴とする自動変速機の変速制御装置。
【発明の詳細な説明】
【技術分野】
【０００１】
本発明は、無段階もしくは有段階に変速比を制御する自動変速機の変速制御装置、特に、旋回時に通常の変速制御に代えて実行されるコーナー変速制御技術に関するものである。
【背景技術】
【０００２】
従来の自動変速機の変速制御装置は、コーナー中において、駆動力を確保する変速比を決定し、決定した変速比に固定する変速比固定制御を行い、車両の挙動を安定化させる技術が提案されている（例えば、特許文献１参照）。
【特許文献１】特開平１０−２３６１８６号公報
【発明の開示】
【発明が解決しようとする課題】
【０００３】
しかしながら、従来の自動変速機の変速制御装置にあっては、車両挙動安定化制御が解除されたら、変速比固定制御から通常の変速比制御に移行する構成となっているため、ドライバの加速要求の有無とは無関係に変速比制御が、変速比固定制御から、車両運転点と変速比マップにより変速比を決める通常の変速比制御へと移行する。このため、車両挙動安定化制御の解除時点でドライバの加速要求があるにもかかわらず、変速比が固定のままとなったり、逆に、アップシフトとなったり、また、車両挙動安定化制御の解除時点でドライバの加速要求が無いにもかかわらず、ダウンシフトとなったりすることがある。この結果、ドライバの加速要求の有無に応えることができないばかりか、ドライバの意図しないアップシフトやダウンシフトにより違和感を与えてしまうという問題があった。
【０００４】
本発明は、上記問題に着目してなされたもので、コーナー前期域での車両挙動の安定性を確保しながら、コーナー中期域にてドライバの加速要求に対し応答良く駆動力を確保することができる自動変速機の変速制御装置を提供することを目的とする。
【課題を解決するための手段】
【０００５】
上記目的を達成するため、本発明では、
【０００６】
旋回時やレーンチェンジ時に通常の変速制御に代えてコーナー変速制御を実行するコーナー変速制御手段を備えた自動変速機の変速制御装置において、
【０００７】
前記コーナー変速制御手段は、旋回やレーンチェンジの開始を判断したら変速比固定制御を開始するコーナー前期制御部と、変速比固定制御の実行中、ドライバの加速意図を判断したら変速比固定制御に代え変速比をダウンシフト側に移行させる制御を実行するコーナー中期制御部と、を有することを特徴とする。
【発明の効果】
【０００８】
よって、本発明の自動変速機の変速制御装置にあっては、コーナー変速制御手段のコーナー前期制御部において、旋回やレーンチェンジの開始を判断したら変速比固定制御が開始され、コーナー中期制御部において、変速比固定制御の実行中、ドライバの加速意図を判断したら変速比固定制御に代え変速比をダウンシフト側に移行させる制御が実行されるため、コーナー前期域での車両挙動の安定性を確保しながら、コーナー中期域にてドライバの加速要求に対し応答良く駆動力を確保することができる。
【発明を実施するための最良の形態】
【０００９】
以下、本発明の自動変速機の変速制御装置を実現する最良の形態を、図面に示す実施例１に基づいて説明する。
【実施例１】
【００１０】
まず、構成を説明する。
図１はベルト式無段変速機を搭載した車両に適用された実施例１の自動変速機の変速制御装置を示す全体システム図である。
実施例１の変速制御装置は、図１に示すように、トルクコンバータ１、ロックアップクラッチ２、ベルト式無段変速機３（自動変速機）、プライマリ回転数センサ４、セカンダリ回転数センサ５、油圧コントロールバルブユニット６、油圧ポンプ８、ＣＶＴコントロールユニット９、スロットル開度センサ１０（スロットル開度検出手段）、油温センサ１１、プーリクランプ圧センサ１４、横加速度センサ１５（横加速度検出手段）、エンジン回転数センサ１６、車速センサ１７、アイドルスイッチ１８と、インヒビタースイッチ１９と、を備えている。
【００１１】
前記トルクコンバータ１は、エンジン出力軸に連結されると共に、図外のエンジンとベルト式無段変速機３を直結するロックアップクラッチ２を有する。そして、トルクコンバータ１のタービン軸１２は、前後進切換機構２０のリングギア２１と連結されている。
【００１２】
前記前後進切換機構２０は、タービン軸１２と連結したリングギア２１，ピニオンキャリア２２，変速機入力軸１３と連結したサンギア２３からなる遊星歯車機構により構成されている。ピニオンキャリア２２には、変速機ケースにピニオンキャリア２２を固定する後進ブレーキ２４と、変速機入力軸１３とピニオンキャリア２２を一体に連結する前進クラッチ２５と、が設けられている。
【００１３】
前記変速機入力軸１３の端部には、ベルト式無段変速機３のプライマリプーリ３０ａが設けられている。ベルト式無段変速機３は、上記プライマリプーリ３０ａとセカンダリプーリ３０ｂと、プライマリプーリ３０ａの回転力をセカンダリプーリ３０ｂに伝達するベルト３４等からなっている。
【００１４】
前記プライマリプーリ３０ａは、変速機入力軸１３と一体に回転する固定円錐板３１と、固定円錐板３１に対向配置されてＶ字状プーリ溝を形成すると共にプライマリプーリシリンダ室３３に作用する油圧によって変速機入力軸１３の軸方向に移動可能である可動円錐板３２と、を有する。
【００１５】
前記セカンダリプーリ３０ｂは、従動軸３８上に設けられている。セカンダリプーリ３０ｂは、従動軸３８と一体に回転する固定円錐板３５と、固定円錐板３５に対向配置されてＶ字状プーリ溝を形成すると共にセカンダリプーリシリンダ室３７に作用する油圧によって従動軸３８の軸方向に移動可能である可動円錐板３６と、を有する。
【００１６】
前記トルクコンバータ１及び前後進切換機構２０を介して変速機入力軸１３に伝達された回転駆動力は、ベルト式無段変速機３のプライマリプーリ３０ａ，ベルト３４，セカンダリプーリ３０ｂ，従動軸３８を経過し、図外の駆動ギアやアイドラギアやファイナルギアや差動装置を介して駆動輪へ伝達される。
【００１７】
上記動力伝達の際に、プライマリプーリ３０ａの可動円錐板３２及びセカンダリプーリ３０ｂの可動円錐板３６を軸方向に移動させてベルト３４との接触位置半径を変えることにより、プライマリプーリ３０ａとセカンダリプーリ３０ｂとの間の回転比つまり変速比を変えることができる。このようなＶ字状のプーリ溝の幅を変化させる変速比制御は、ＣＶＴコントロールユニット９からの指令によりプライマリプーリシリンダ室３３またはセカンダリプーリシリンダ室３７への油圧を制御することにより行われる。
【００１８】
前記ＣＶＴコントロールユニット９には、スロットル開度センサ１０からのスロットル開度TVO、油温センサ１１からの変速機油温ｆ、プライマリ回転数センサ４からのプライマリ回転数Npri、セカンダリ回転数センサ５からのセカンダリ回転数Nsec、プーリクランプ圧センサ１４からのプーリクランプ圧、横加速度センサ１５からの実横加速度、エンジン回転数センサ１６からのエンジン回転数Ne、車速センサ１７からの車速、アイドルスイッチ１８からのスイッチ信号、インヒビタースイッチ１９からのレンジ位置信号、等が入力される。これらの入力信号に基づいて、ＣＶＴコントロールユニット９では、制御指令値を演算し、油圧コントロールバルブユニット６へ制御信号を出力する。なお、このＣＶＴコントロールユニット９には、Ｄレンジの選択時、旋回時やレーンチェンジ時に通常の変速制御に代えてコーナー変速制御を実行するコーナー変速制御プログラム（コーナー変速制御手段）が設定されている。
【００１９】
前記油圧コントロールバルブユニット６は、ＣＶＴコントロールユニット９からの制御指令を受け、図外のエンジンに連動して油圧を出力する油圧ポンプ８からの吐出圧を元圧として、後進ブレーキ２４へのブレーキ圧、前進クラッチ２５へのクラッチ圧、プライマリプーリシリンダ室３３へのプライマリプーリ圧、セカンダリプーリシリンダ室３７へのセカンダリプーリ圧（＝ライン圧）を作り出す。
【００２０】
次に、作用を説明する。
【００２１】
［コーナー制御開始条件判断処理］
【００２２】
図２は実施例１のＣＶＴコントロールユニット９により実行されるコーナー制御開始条件判断処理の流れを示すコーナー判断フローチャート(1)で、以下、各ステップについて説明する。
【００２３】
ステップＳ１では、コーナー制御許可フラグC_frgが、C_frg＝OFF（コーナー制御不許可中）であることを条件としてコーナー制御開始条件判断処理を開始し、ステップＳ２へ移行する。
【００２４】
ステップＳ２では、セレクトレバーにより選択されているレンジ位置がＤレンジ位置か否かが判定され、YESの場合はステップＳ２へ移行し、NOの場合はステップＳ１へ戻る。
【００２５】
ステップＳ３では、横加速度センサ１５により検出される実横加速度絶対値が閾値g1を超えているか否かが判断され、YESの場合はステップＳ４へ移行し、NOの場合はステップＳ１へ戻る。
【００２６】
ステップＳ４では、スロットル開度センサ１０により検出されるスロットル開度TVOが閾値t1以上で閾値t2未満の範囲内か否かが判断され、YESの場合はステップＳ５へ移行し、NOの場合はステップＳ１へ戻る。
【００２７】
ステップＳ５では、車速センサ１７により検出される車速が閾値v1を超えて閾値v2未満の範囲内か否かが判断され、YESの場合はステップＳ６へ移行し、NOの場合はステップＳ１へ戻る。
【００２８】
ステップＳ６では、エンジン回転数センサ１６により検出されるエンジン回転数Neが閾値e1を超えて閾値e2未満の範囲内か否かが判断され、YESの場合はステップＳ７へ移行し、NOの場合はステップＳ１へ戻る。
【００２９】
ステップＳ７では、コーナー制御許可フラグC_frgが、C_frg＝OFFからC_frg＝ON（コーナー制御許可中）に書き替えられ、ステップＳ８へ移行する。
【００３０】
ステップＳ８では、現在のスロットル開度R_TVOがコーナー制御時スロットル開度C_TVO（更新条件が無い限り固定値）と設定され、コーナー制御前期フローチャート(1)へ移行する。
【００３１】
［コーナー制御前期処理］
【００３２】
図３は実施例１のＣＶＴコントロールユニット９により実行されるコーナー前期制御処理の流れを示すコーナー前期制御フローチャート(2)で、以下、各ステップについて説明する（コーナー前期制御部）。
【００３３】
ステップＳ９では、コーナー制御許可フラグC_frgが、C_frg＝ON（コーナー制御許可中）か否かが判断され、YESの場合はステップＳ１０へ移行し、NOの場合はC_frg＝ONの判断が繰り返される。
【００３４】
ステップＳ１０では、変速比固定フラグRtofix_frg1が、Rtofix_frg1＝ONとされ、ステップＳ１１へ移行する。
【００３５】
ステップＳ１１では、現在の変速比R_Ratioを、コーナー制御中固定変速比C_Ratioとして変速比が固定され、ステップＳ１２へ移行する。
【００３６】
ステップＳ１２では、Ｄレンジか否かが判定され、YESの場合はステップＳ１３へ移行し、NOの場合はステップＳ１５へ移行する。
【００３７】
ステップＳ１３では、実横加速度絶対値が閾値g2を超えているか否かが判断され、YESの場合はステップＳ１４へ移行し、NOの場合はステップＳ１６へ移行する。
【００３８】
ステップＳ１４では、車速が閾値v3を超えて閾値v4未満の範囲内か否かが判断され、YESの場合はコーナー前期制御フローチャート(2)へ移行し、NOの場合はステップＳ１５へ移行する。
【００３９】
ステップＳ１５では、カウントダウンタイマーcutdown_aをリセットし、変速比固定フラグRtofix_frg1をONからOFFに書き替え、コーナー制御許可フラグC_frgをONからOFFに書き替えて、コーナー制御から通常レンジ制御へ変更し、コーナー判断フローチャート(1)へ移行する。
【００４０】
ステップＳ１６では、ステップＳ１３でNOと判断された場合、つまり、実横加速度絶対値が閾値g2以下の場合、変速比固定制御の継続時間をあらわすカウントダウンタイマーcutdown_aをスタートし、ステップＳ１７へ移行する。
【００４１】
ステップＳ１７では、コーナー制御時スロットル開度C_TVOと現在のスロットル開度R_TVOとの差の絶対値が閾値t3を超え、かつ、現在のスロットル開度R_TVOが閾値t3以上であるか否かが判断され、YESの場合はステップＳ２１へ移行し、NOの場合はステップＳ１８へ移行する。
【００４２】
ステップＳ１８では、実横加速度絶対値が閾値g2以下か否かが判断され、YESの場合はステップＳ１９へ移行し、NOの場合はステップＳ２２へ移行する。
【００４３】
ステップＳ１９では、カウントダウンタイマーcutdown_aが、cutdown_a＝０か否かが判断され、YESの場合はステップＳ２０へ移行し、NOの場合はステップＳ１７へ戻る。
【００４４】
ステップＳ２０では、カウントダウンタイマーcutdown_aをリセットし、変速比固定フラグRtofix_frg1をONからOFFに書き替え、コーナー制御許可フラグC_frgをONからOFFに書き替えて、コーナー制御から通常レンジ制御へ変更し、コーナー判断フローチャート(1)へ移行する。
【００４５】
ステップＳ２１では、ステップＳ１８にて実横加速度絶対値が閾値g2を超えていると判断されたとき、カウントダウンタイマーcutdown_aをリセットし、ステップＳ１２へ戻る。
【００４６】
ステップＳ２２では、現在の踏み増しスロットル開度速度R_△TVOを、コーナー制御時の踏み増しスロットル開度速度C_△TVOとし、カウントダウンタイマーcutdown_aをリセットし、コーナー中期制御フローチャート(3)へ移行する。
【００４７】
［コーナー中期制御処理］
【００４８】
図４は実施例１のＣＶＴコントロールユニット９により実行されるコーナー中期制御処理の流れを示すコーナー中期制御フローチャート(3)で、以下、各ステップについて説明する（コーナー中期制御部）。
【００４９】
ステップＳ２３では、コーナー中期制御の最大継続時間をあらわすカウントダウンタイマーcutdown_bがスタートし、ステップＳ２４へ移行する。
【００５０】
ステップＳ２４では、現在のスロットル開度R_TVOをコーナ制御目標スロットル開度V_TVOとし、コーナー制御中固定変速比C_Ratioをコーナー制御中可変変速比V_Ratioとし、ステップＳ２５へ移行する。
【００５１】
ステップＳ２５では、変速比固定フラグRtofix_frg2が、Rtofix_frg2≠ONか否かが判断され、YESの場合はステップＳ２６へ移行し、NOの場合はステップＳ２７へ移行する。
【００５２】
ステップＳ２６では、コーナー制御中可変変速比V_Ratioが、
V_Ratio＝V_Ratio＋ip_ad＊△K
ただし、ip_ad：単位時間当たりの変速比加算分、△K：変速加算量係数
の式により求めることで、変速比可変制御が開始され、ステップＳ２７へ移行する。ここで、変速加算量係数△Kは、図１０に示すように、現在踏み増しスロットル開度速度R_△TVOが、設定値R_△TVOoまでは一定値で、設定値R_△TVOoを超えると現在踏み増しスロットル開度速度R_△TVOの増大に比例して大きな値となる特性に基づいて与える。
【００５３】
ステップＳ２７では、実横加速度絶対値が閾値g2未満か否かが判断され、YESの場合はステップＳ２８へ移行し、NOの場合はステップＳ４０へ移行する。
【００５４】
ステップＳ２８では、現在のスロットル開度R_TVOと単位時間前のスロットル開度O_TVOの差の絶対値が閾値t3未満か否かが判断され、YESの場合はステップＳ２９へ移行し、NOの場合はステップＳ４２へ移行する。
【００５５】
ステップＳ２９では、コーナ制御目標スロットル開度V_TVOが、現在の変速比と車速とエンジン回転数から求められるスロットル開度S_TVOと一致しているか否かが判断され、YESの場合はステップＳ３０へ移行し、NOの場合はステップＳ４２へ移行する。
【００５６】
ステップＳ３０では、回転リミットフラグNlmt_frgが、Nlmt_frg≠ONか否かが判断され、YESの場合はステップＳ３１へ移行し、NOの場合はステップＳ３６へ移行する。
【００５７】
ステップＳ３１では、現在の変速比R_Ratioをコーナー制御中固定変速比C_Ratioとして変速比固定制御が実行され、ステップＳ３２へ移行する。
【００５８】
ステップＳ３２では、変速比固定フラグRtofix_frg2が、Rtofix_frg2＝ONとされ、ステップＳ３３へ移行する。
【００５９】
ステップＳ３３では、変速比固定制御での運転点が各スロットル開度毎に持つリミット線に到達したか否かが判断され、YESの場合はステップＳ３４へ移行し、NOの場合はステップＳ４３へ移行する。
【００６０】
ステップＳ３４では、図５に示す解除条件判断フローチャートにおいて、コーナー制御解除条件成立か否かが判断され、YESの場合はステップＳ３５へ移行し、NOの場合はステップＳ４３へ移行する。
【００６１】
ステップＳ３５では、カウントダウンタイマーcutdown_bが、cutdown_b≠０か否かが判断され、YESの場合はステップＳ３６へ移行し、NOの場合はステップＳ４６へ移行する。
【００６２】
ステップＳ３６では、回転リミットフラグNlmt_frgをNlmt_frg＝ONとし、リミット線追随制御を実行し、ステップＳ３７へ移行する。
【００６３】
ステップＳ３７では、カウントダウンタイマーcutdown_bが、cutdown_b≠０か否かが判断され、YESの場合はステップＳ３８へ移行し、NOの場合はステップＳ４７へ移行する。
【００６４】
ステップＳ３８では、図５に示す解除条件判断フローチャートにおいて、コーナー制御解除条件成立か否かが判断され、YESの場合はステップＳ３９へ移行し、NOの場合はステップＳ４３へ移行する。
【００６５】
ステップＳ３９では、カウントダウンタイマーcutdown_bをリセットし、変速比固定フラグRtofix_frg2をONからOFFに書き替え、コーナー制御許可フラグC_frgをONからOFFに書き替えて、コーナー制御から通常レンジ制御へ変更し、コーナー判断フローチャート(1)へ移行する。
【００６６】
ステップＳ４０では、ステップＳ２７において、｜実横加速度｜≧閾値g2であると判断された場合、カウントダウンタイマーcutdown_bをリセットし、コーナー前期制御フローチャート(2)へ移行する。
【００６７】
ステップＳ４１では、ステップＳ２８において、｜R_TVO−O_TVO｜≧閾値t3であると判断された場合、現在の変速比R_Ratioをコーナー制御中固定変速比C_Ratioとし、現在の踏み増しスロットル開度速度R_△TVOをコーナー制御中踏み増しスロットル開度速度C_△TVOとし、ステップＳ２４へ戻る。
【００６８】
ステップＳ４２では、ステップＳ２９において、V_TVO≠S_TVOであると判断された場合、カウントダウンタイマーcutdown_bがcutdown_b＝０か否かが判断され、YESの場合はステップＳ３９へ移行し、NOの場合はステップＳ２４へ戻る。
【００６９】
ステップＳ４３では、ステップＳ３３、または、ステップＳ３４、または、ステップＳ３８でNOと判断された場合、カウントダウンタイマーcutdown_bがcutdown_b＝０か否かが判断され、YESの場合はステップＳ３９へ移行し、NOの場合はステップＳ４４へ移行する。
【００７０】
ステップＳ４４では、実横加速度絶対値が閾値t3を超えているか否かが判断され、YESの場合はステップＳ２５へ移行し、NOの場合はステップＳ４５へ移行する。
【００７１】
ステップＳ４５、ステップＳ４６、ステップＳ４７では、ステップＳ３９と同様に、カウントダウンタイマーcutdown_bをリセットし、変速比固定フラグRtofix_frg2をONからOFFに書き替え、コーナー制御許可フラグC_frgをONからOFFに書き替えて、コーナー制御から通常レンジ制御へ変更する。
【００７２】
［コーナー制御解除条件判断処理］
【００７３】
図５は実施例１のＣＶＴコントロールユニット９により実行されるコーナー制御解除条件判断処理の流れを示す解除条件判断フローチャート(4)で、以下、各ステップについて説明する（コーナー変速制御解除条件判断部）。
【００７４】
ステップＳ４８では、アイドルスイッチ１８ａからのスイッチ信号がONか否かが判断され、YESの場合はステップＳ４９へ移行し、NOの場合はステップＳ５５へ移行する。
【００７５】
ステップＳ４９では、アイドル判定フラグidl_frgが、idl_frg＝ONか否かが判断され、YESの場合はステップＳ５１へ移行し、NOの場合はステップＳ５０へ移行する。
【００７６】
ステップＳ５０では、カウントダウンタイマーcntdwn_iがスタートし、アイドル判定フラグidl_frgをidl_frg＝ONとし、ステップＳ５１へ移行する。
【００７７】
ステップＳ５１では、車速が閾値v5を超えていて閾値v6未満の範囲内か否かが判断され、YESの場合はステップＳ５５へ移行し、NOの場合はステップＳ５２へ移行する。
【００７８】
ステップＳ５２では、エンジン回転数Neが閾値e3を超えていて閾値e4未満の範囲内か否かが判断され、YESの場合はステップＳ５５へ移行し、NOの場合はステップＳ５３へ移行する。
【００７９】
ステップＳ５３では、カウントダウンタイマーcntdwn_iが、cntdwn_i＝０か否かが判断され、YESの場合はステップＳ５４へ移行し、NOの場合はステップＳ４８へ戻る。
【００８０】
ステップＳ５４では、解除フラグをONとし、カウントダウンタイマーcntdwn_iをリセットし、アイドル判定フラグidl_frgをOFFとする。
【００８１】
ステップＳ５５では、ステップＳ４８でNOと判断された場合、ステップＳ５１またはステップＳ５２でYESと判断された場合、解除フラグをOFFとし、カウントダウンタイマーcntdwn_iをリセットし、アイドル判定フラグidl_frgをOFFとしてステップＳ４８へ移行する。
【００８２】
［ノーマル変速制御作用］
【００８３】
コーナー制御許可フラグC_frgがC_frg＝OFFであるとき、ステップＳ２のＤレンジ条件と、ステップＳ３での実横加速度絶対値条件と、ステップＳ４でのスロットル開度条件と、ステップＳ５での車速条件と、ステップＳ６でのエンジン回転数条件と、の何れか一つの条件でも成立しないときには、コーナー制御許可フラグC_frgがC_frg＝OFF（コーナー制御不許可）が維持され、図６のノーマル制御の変速線にしたがって、変速比が制御される。
【００８４】
例えば、図６の運転点ａの状態からステップ的にアクセル踏み込み操作を行うことで、スロットル開度が、0/8から4/8へと上昇した場合には、図６の矢印をトレースするように、まず、車速Vspは一定のままでプライマリ回転数Npri（＝エンジン回転数Ne）のみを上昇させるようにダウンシフト側の変速比が変更され、運転点が4/8変速線に到達すると、プライマリ回転数Npriは一定のままで車速Vspのみを上昇させるように、ハイ側に変速比が変更される。
【００８５】
［コーナー判断作用］
【００８６】
コーナー制御許可フラグC_frgがC_frg＝OFFであるとき、ステップＳ２のＤレンジ条件と、ステップＳ３での実横加速度絶対値条件と、ステップＳ４でのスロットル開度条件と、ステップＳ５での車速条件と、ステップＳ６でのエンジン回転数条件と、が全て成立するとき、図２のフローチャートにおいて、ステップＳ１→ステップＳ２→ステップＳ３→ステップＳ４→ステップＳ５→ステップＳ６→ステップＳ７へと進み、ステップＳ７では、C_frg＝OFFからC_frg＝ONに書き替えられ、コーナー制御が許可される。
【００８７】
すなわち、Ｄレンジでのアクセル踏み込みによる走行中において、操舵によりコーナー路に沿って旋回をしたり、複数の車線を有する直進路でレーンチェンジをすることで、車両に横加速度が発生し、その横加速度絶対値が閾値g1を超えると、コーナー制御が許可されることになる。
【００８８】
［コーナー前期制御作用］
【００８９】
図２のフローチャートでコーナー走行中であると判断され、コーナー制御許可フラグC_frgがC_frg＝ONになると、図３のフローチャートにおいて、ステップＳ９→ステップＳ１０→ステップＳ１１へと進み、ステップＳ１１において、そのときの変速比R_Ratioをコーナー制御中固定変速比C_Ratioとして変速比固定制御が実行される。そして、この変速比固定制御は、ステップＳ１２のＤレンジ条件と、ステップＳ１３の実横加速度絶対値条件と、ステップＳ１４の車速条件が成立する限り維持される。
【００９０】
例えば、図７に示すように、0/8→2/8によるアクセル踏み込み操作後の運転点ｂからコーナー制御に入ると、スロットル開度TVOにかかわらず、横加速度が大きいままであるときは、アクセル操作に応じて図７の実線上をトレースするというように、変速比は固定されたままの変速比固定制御が実行されるため、車両旋回挙動の安定性が確保される。
【００９１】
また、前記３条件のうち、ステップＳ１２のＤレンジ条件、または、ステップＳ１４の車速条件が不成立となると、ステップＳ１５へ進み、ステップＳ１５では、コーナー前期制御から通常レンジ制御へ戻される。
【００９２】
さらに、前記３条件のうち、ステップＳ１３の実横加速度絶対値条件が不成立、つまり、実横加速度絶対値が閾値g2以下になると、ステップＳ１３からステップＳ１６→ステップＳ１７へと進む。このステップＳ１７へと進んだ時点で、アクセル踏み増し操作を行うこと無く、横加速度絶対値条件が成立したままで、カウントダウンタイマーcutdown_aによる設定時間が経過すると、ステップＳ１７からステップＳ１８→ステップＳ１９→ステップＳ２０へと進み、ステップＳ２０では、コーナー前期制御から通常レンジ制御へ戻される。なお、カウントダウンの途中で横加速度絶対値条件が不成立になると、ステップＳ１８からステップＳ２１へと進み、カウントダウンタイマーcutdown_aをリセットし、ステップＳ１２，ステップＳ１３，ステップＳ１４において、再び、固定変速比制御を維持するための前記３条件の判断が行われる。
【００９３】
一方、ステップＳ１７へと進んだ時点で、ステップＳ１７でのコーナー制御開始時のスロットル開度を基準とする加速要求条件が成立すると、ステップＳ１７からステップＳ２２へと進み、ステップＳ２２では、現在の踏み増しスロットル開度速度R_△TVOを、コーナー制御時の踏み増しスロットル開度速度C_△TVOとし、カウントダウンタイマーcutdown_aをリセットし、変速比固定制御からコーナー中期制御フローチャート(3)による変速比可変制御へと移行する。
【００９４】
［コーナー中期制御作用］
【００９５】
図３のフローチャートにおいて、ステップＳ１３の低横加速度条件と、ステップＳ１７の加速要求条件が成立すると、図４のフローチャートにおいて、ステップＳ２３→ステップＳ２４→ステップＳ２５→ステップＳ２６へと進み、ステップＳ２６において、変速比可変制御が開始される。この変速比可変制御では、コーナー制御中可変変速比V_Ratioが、V_Ratio＝V_Ratio＋ip_ad＊△Kの式により与えられ、しかも、変速加算量係数△Kは、図１０に示すように、現在踏み増しスロットル開度速度R_△TVOが、設定値R_△TVOoまでは一定値であるが、設定値R_△TVOoを超えると現在踏み増しスロットル開度速度R_△TVOの増大に比例して大きな値となる特性に基づいて与えられる。
【００９６】
すなわち、変速比固定制御中に低横加速度条件と加速要求条件が成立すると、変速比可変制御に移行し、この変速比可変制御では、図８に示すように、単位時間当たりの変速比分（ip_ad＊△K）を加算させる変速方法により、アクセル踏み込み後のコーナー制御目標スロットル開度V_TVOの線までダウンシフト側に変速比が変更される。
【００９７】
例えば、図８の(A)に示すように、0/8→4/8踏み込みの場合、4/8でのコーナー制御目標スロットル開度V_TVOの線までは、単位時間当たりの変速比加算分ip_adを加算するが、その傾きをあらわす変速加算量係数△Kは、図８の横矢印に示すように、現在踏み増しスロットル開度速度R_△TVOにより可変とされる。つまり、変速比コントロールのため、バックグラウンドで駆動力が求まり、その横加速度に対して変速可能かどうか判断しやすい。また、変速比は単位時間当たりの変化であるため、ショックなく、かつ、違和感無くエンジン回転数を上昇させることができる。さらに、変速加算量係数△Kを現在踏み増しスロットル開度速度R_△TVOにより可変としたため、ドライバの加速要求（加速意図どおり）に近い変速比の変更を可能とする。加えて、同じスロットル開度4/8の場合には、ノーマル制御での目標スロットル開度線よりもエンジン回転数を高めるようにコーナー制御目標スロットル開度V_TVOの線を決めているため、ノーマル制御目標スロットル開度線を用いる場合に比べ、駆動力を大きく確保することができる。
【００９８】
上記変速比可変制御中に、コーナ制御目標スロットル開度V_TVOが、現在の変速比と車速とエンジン回転数から求められるスロットル開度S_TVOと一致した場合、つまり、運転点がコーナー制御目標スロットル開度V_TVOの線に到達すると、図４のフローチャートにおいて、ステップＳ２６からステップＳ２７→ステップＳ２８→ステップＳ２９→ステップＳ３０→ステップＳ３１へと進む流れとなり、ステップＳ３１において、現在の変速比R_Ratioをコーナー制御中固定変速比C_Ratioとして変速比固定制御が実行される。
【００９９】
例えば、図９の(B)に示すように、0/8→4/8踏み込みの場合、4/8でのコーナー制御目標スロットル開度V_TVOの線に到達したら、そこで変速比を固定する変速比固定制御に入り、その後はアクセル開度TVOにかかわらず、図９の実線をトレースする変速比固定制御が実行される。よって、運転点がコーナー制御目標スロットル開度V_TVOの線に到達した後、アップシフトが防止されるため、制御中にドライバの踏み込み開度が変更されていないことを前提として駆動力を確保することができる。また、アクセル全開踏み込み操作時等においては、過剰に駆動力を上げなくて済み、コーナー中の車両挙動を安定化することができる。
【０１００】
上記変速比固定制御中に、運転点がプラマリ回転数Npriのリミット線に到達すると、図４のフローチャートにおいて、ステップＳ３１からステップＳ３２→ステップＳ３３→ステップＳ３４→ステップＳ３５→ステップＳ３６へと進む流れとなり、ステップＳ３６において、回転リミットフラグNlmt_frgをNlmt_frg＝ONとしてリミット線追随制御が実行される。
【０１０１】
例えば、図９の(C)に示すように、スロットル開度4/8でのコーナー制御目標スロットル開度V_TVOの線に到達し、その後、変速比固定制御により運転点が4/8リミット線に交差する位置まで達すると、その後は図９のリミット線に沿ってトレースするリミット線追随制御、言い換えると、プラマリ回転数Npriをリミット回転数に保つアップシフト制御が実行される。よって、このリミット線追随制御により、エンジン回転数の過回転を防止できるため、リミット線追随制御を行わないものに車両挙動を安定化させることができるし、騒音や振動の性能面でも向上させることができる。
【０１０２】
［解除条件判断作用］
【０１０３】
まず、コーナ制御は、図４に示すように、カウントダウンタイマーcntdwn_bがタイムアップした場合に自動的に解除され（ステップＳ３５→ステップＳ４６、ステップＳ３７→ステップＳ４７、ステップＳ４２→ステップＳ３９、ステップＳ４３→ステップＳ３９）、または、リミット線到達後、実横加速度絶対値が閾値g3未満、つまり、コーナー走行から直進走行状態に移行したと判断された場合に自動的に解除される（ステップＳ４４→ステップＳ４５）。
【０１０４】
このコーナー制御自動解除に加え、リミット線追随制御中にカウントダウンタイマーcntdwn_bによる継続時間が残っているにもかかわらず、図５に示すコーナ制御解除条件が成立すると、図４のフローチャートにおいて、ステップＳ３６→ステップＳ３７→ステップＳ３８→ステップＳ３９へと進む流れとなり、ステップＳ３９において、コーナ制御が解除され、通常レンジ制御へ変更される。
【０１０５】
すなわち、アクセル足離し操作によりドライバのコーナー制御解除意図をあらわすことで、図５のフローチャートにおいて、ステップＳ４８のアイドル条件が成立した場合、同時に、ステップＳ５１の車速条件と、ステップＳ５２のエンジン回転数条件と、ステップＳ５３の時間条件が成立すると、ステップＳ４８→ステップＳ４９→ステップＳ５１→ステップＳ５２→ステップＳ５３→ステップＳ５４へと進み、ステップＳ５４において、解除フラグをONとし、カウントダウンタイマーcntdwn_iをリセットし、アイドル判定フラグidl_frgをOFFとされる。
【０１０６】
よって、リミット線追随制御中に早期にコーナー制御を解除して通常レンジ制御に移行したい場合には、アクセル足離し操作を行うことで、意図的にコーナー制御を解除することができる。
【０１０７】
［実施例１のコーナー制御作用］
【０１０８】
従来、車両に搭載されている無段変速機・自動変速機において、コーナー中の姿勢制御として、変速比固定を行い、車両の挙動を安定化させる制御（特開平１０−２３６１８６号公報）が提案されている。
【０１０９】
また、アンダーステア状態（横加速度大）の解消が判定されたときに、無段変速機の実変速比が変速特性上の変速比に対して所定範囲内に入った時点で、該変速比を変速特性上の変速比に復帰させる制御（特開２００２−１１４０５９号公報）も開示されている。
【０１１０】
しかしながら、これらの従来技術を用いて旋回中に加速したい場合には、下記に列挙するような問題がある。
・問題点１
アンダーステア状態の解消が判定されたときの解除方法において、コーナー中の変速比固定状態から徐々に解除するようにした場合、横加速度が小さくなってからの踏み込みのため、従来の変速線到達では駆動力が足りない。
・問題点２
また、徐々に解除し、スロットル開度に応じた変速線に到達してから、その変速線に沿ってアップシフトしてしまうため、駆動力が下がり、さらにアクセルを踏み増ししてしまうケースが発生してしまう。
・問題点３
スロットル開度が全開の場合、徐々に解除してもエンジン回転が吹け上がり（ＣＶＴ変速線特有で、エンジン回転数が上がるが車速がついてこない現象）、運転性が悪くなる。また、徐々に解除とはいえ、駆動力が大きすぎて、車両挙動が不安定になる。
【０１１１】
これに対し、実施例１では、図１１に示すように、t1の時点でコーナー制御が開始されると、まず、t1〜t2の間は変速比が固定されることで、車両の旋回挙動安定性を確保することができる。そして、t2の時点でアクセル踏み込み操作が行われると、t2〜t3の領域(A)ではスロットル開速度により傾きが可変である変速比可変制御が行われると共に、コーナー制御用変速線が新たに設定されるため、ドライバの加速要求に近い変速が可能であると共に、大きな駆動力が確保される。そして、スロットル開度に応じたコーナー制御用変速線に到達するt3の時点以降は、そのときの変速比がそのまま固定されるため、アップシフトを防止することで駆動力が確保でき、さらに、コーナー中の車両挙動を安定にすることができる。そして、t4の時点でリミット線に達すると、t4以降はエンジン回転数の上昇を抑えるリミット線追随制御が行われるため、エンジン回転の過回転を防止することができると共に、騒音や振動的にも向上させることができる。
【０１１２】
次に、効果を説明する。
実施例１の自動変速機の変速制御装置にあっては、下記に列挙する効果を得ることができる。
【０１１３】
(1) 旋回時やレーンチェンジ時に通常の変速制御に代えてコーナー変速制御を実行するコーナー変速制御手段を備えた自動変速機の変速制御装置において、前記コーナー変速制御手段は、旋回やレーンチェンジの開始を判断したら変速比固定制御を開始するコーナー前期制御部と、変速比固定制御の実行中、ドライバの加速意図を判断したら変速比固定制御に代え変速比をダウンシフト側に移行させる制御を実行するコーナー中期制御部と、を有するため、コーナー前期域での車両挙動の安定性を確保しながら、コーナー中期域にてドライバの加速要求に対し応答良く駆動力を確保することができる。
【０１１４】
(2) 車両の横加速度を検出する横加速度センサ１５と、スロットル開度を検出するスロットル開度センサ１０と、を設け、前記コーナー前期制御部は、少なくとも横加速度検出値が第１設定閾値を超えたら第１変速比固定制御を開始し、前記コーナー中期制御部は、変速比固定制御の実行中、実横加速度絶対値が第２設定閾値よりも小さく、かつ、スロットル開度検出値が設定開度よりも大きくなったら、第１変速比固定制御に代え変速比をダウンシフト側に移行させる制御を実行するため、コーナー中判断情報を横加速度情報とし、ドライバの加速意図判断情報をスロットル開度情報とする精度の高い制御により、コーナー前期域での車両挙動の安定性を確保しながら、コーナー中期域にてドライバの加速要求に対し応答良く駆動力を確保することができる。
【０１１５】
(3) 前記自動変速機は、変速比を無段階に変更できる無段変速機であり、前記コーナー中期制御部は、第１変速比固定制御に代えて実行される制御を、単位時間当たりの変速比加算により変速比をダウンシフト側に徐々に移行させる変速比可変制御としたため、変速比可変制御をショック無く、かつ、違和感無く、エンジン回転数を滑らかに上昇させながら行うことができる。
【０１１６】
(4) スロットル開度速度を検出するスロットル開度速度検出手段を設け、前記コーナー中期制御部は、変速比をダウンシフト側に徐々に移行させる変速比可変制御を実行するとき、スロットル開度速度が大きいほど変速比加算分を大きくするため、スロットル開度速度によりドライバの加速要求を判断し、ドライバの加速要求に近い変速制御を行うことができる。
【０１１７】
(5) 通常走行時のスロットル開度変速線を持つノーマル変速マップよりもエンジン回転数を高める側のスロットル開度変速線を持つコーナー制御用変速マップを設定するコーナー制御用変速マップ設定手段を設け、前記コーナー変速制御手段のコーナー中期制御部は、変速比可変制御を開始した時点から、ノーマル変速マップに代えコーナー制御用変速マップを用いたため、ノーマル変速線をそのまま用いる場合に比べ、駆動力を大きく確保することができる。
【０１１８】
(6) 前記コーナー中期制御部は、変速比をダウンシフト側へ移行させる変速比可変制御中に運転点が踏み込みスロットル開度に対応するスロットル開度変速線に達したら、達した時点の変速比に固定する第２変速比固定制御を開始するため、運転点がスロットル開度変速線に達した後、変速線に沿うアップシフトが防止され、高い駆動力を確保することができる。また、アクセル全開踏み込み時等においては、駆動力を過大にしなくて済み、コーナー中の車両挙動を安定化できる。
【０１１９】
(7) 前記コーナー中期制御部は、第２変速比固定制御中に運転点が踏み込みスロットル開度に対応するリミット線に達したら、それ以降、リミット線に沿って変速比をアップシフト側に変更するリミット線追随制御を実行するため、エンジン回転の過回転を防止でき、車両挙動を安定化させ、音振性能も向上させることができる。
【０１２０】
以上、本発明の自動変速機の変速制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【０１２１】
例えば、実施例１では、横加速度情報を横加速度センサにより得る例を示したが、各輪の車輪速センサからの左右車輪速差から横加速度を算出しても良いし、車速センサと舵角センサからの車速と舵角に基づいて横加速度を算出するようにしても良い。
【産業上の利用可能性】
【０１２２】
本発明の自動変速機の変速制御装置は、ベルト式無段変速機を搭載した車両に限らず、トロイダル式無段変速機を搭載した車両や、Ｄレンジにおいて複数の変速段を自動変速する有段変速機を搭載した車両等にも適用できる。
【図面の簡単な説明】
【０１２３】
【図１】実施例１の自動変速機の変速制御装置を示す全体システム図である。
【図２】実施例１のＣＶＴコントロールユニット９により実行されるコーナー制御開始条件判断処理の流れを示すコーナー判断フローチャート(1)である。
【図３】実施例１のＣＶＴコントロールユニット９により実行されるコーナー前期制御処理の流れを示すコーナー前期制御フローチャート(2)である。
【図４】実施例１のＣＶＴコントロールユニット９により実行されるコーナー中期制御処理の流れを示すコーナー中期制御フローチャート(3)である。
【図５】実施例１のＣＶＴコントロールユニット９により実行されるコーナー制御解除条件判断処理の流れを示す解除条件判断フローチャート(4)である。
【図６】ノーマル制御変速線とコーナー制御変速線を持つ変速マップの一例を示す図である。
【図７】変速マップ上でコーナー制御前期における変速比固定制御をあらわすコーナー前期制御作用説明図である。
【図８】変速マップ上でアクセル踏み込み操作に伴って変速比をダウンシフト側（ロー側）に変更する変速比可変制御をあらわすコーナー中期制御作用説明図である。
【図９】変速マップ上でコーナ制御用変速線に到達すると変速比固定制御に移行しリミット線に到達するとリミット線追随制御に移行するコーナー中期制御作用説明図である。
【図１０】実施例１の変速比可変制御にて用いられる変速加算量係数特性図である。
【図１１】実施例１のコーナー制御の一例をあらわすタイムチャートである。
【符号の説明】
【０１２４】
１    トルクコンバータ
２    ロックアップクラッチ
３    ベルト式無段変速機（自動変速機）
４    プライマリ回転数センサ
５    セカンダリ回転数センサ
６    油圧コントロールバルブユニット
８    油圧ポンプ
９    ＣＶＴコントロールユニット
１０  スロットル開度センサ（スロットル開度検出手段）
１１  油温センサ
１４  プーリクランプ圧センサ
１５  横加速度センサ（横加速度検出手段）
１６  エンジン回転数センサ
１７  車速センサ
１８  アイドルスイッチ
１９  インヒビタースイッチ
【図１】
2005069294.tif 000003
【図２】
2005069294.tif 000004
【図３】
2005069294.tif 000005
【図４】
2005069294.tif 000006
【図５】
2005069294.tif 000007
【図６】
2005069294.tif 000008
【図７】
2005069294.tif 000009
【図８】
2005069294.tif 000010
【図９】
2005069294.tif 000011
【図１０】
2005069294.tif 000012
【図１１】
2005069294.tif 000013